【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
共有無線周波数スペクトル（ＳＲＦＳ）帯域を使用する基地局（ＢＳ）によるワイヤレス通信のための方法であって、
前記少なくとも１つまたは複数の狭帯域領域を確保するために、プリアンブルを送信する１つまたは複数の狭帯域領域を含む前記ＳＲＦＳの少なくとも一部分に対してチャネルクリアアセスメント（ＣＣＡ）を実行することと、ここにおいて、前記プリアンブルは、複数の前記狭帯域領域を含む広帯域領域で送信される広帯域プリアンブルを備える、
前記狭帯域領域のうちの少なくとも１つで、前記ＣＣＡを実行した後に、少なくとも１つのマシンタイプコミュニケーション（ＭＴＣ）ユーザ機器（ＵＥ）と通信することと
を備える方法。
【請求項２】
前記広帯域プリアンブルは、ＭＴＣ ＵＥおよび非ＭＴＣ ＵＥの両方によって検出可能である、請求項１に記載の方法。
【請求項３】
前記広帯域プリアンブルを送信した後に、少なくとも１つの狭帯域プリアンブルを送信することをさらに備える、請求項１に記載の方法。
【請求項４】
前記ＵＥが前記ＢＳと通信するために使用するための前記１つまたは複数の狭帯域領域におけるリソースの割当てを送信することをさらに備える、請求項１に記載の方法。
【請求項５】
前記ＣＣＡを実行することは、複数の前記狭帯域領域を含む広帯域領域上で前記ＣＣＡを実行することを備える、請求項１に記載の方法。
【請求項６】
前記少なくとも１つのＭＴＣ ＵＥと通信することは、前記少なくとも１つのＭＴＣ ＵＥにダウンリンク送信を送ることを備え、前記ダウンリンク送信は、複数の送信時間間隔（ＴＴＩ）にわたって、バンドリングされた送信として送られ、
前記ＣＣＡを実行することは、前記複数のＴＴＩのほんの一部分だけに対応する持続時間を有するウィンドウにわたって前記ＣＣＡを実行することを備える、
請求項１に記載の方法。
【請求項７】
前記少なくとも１つのＭＴＣ ＵＥと通信することは、前記少なくとも１つのＭＴＣ ＵＥにダウンリンク送信を送ることを備え、
前記方法は、前記ダウンリンク送信を送信する前に、前記ダウンリンク送信について、少なくとも１つの狭帯域領域において、インジケーションを送信することをさらに備える、
請求項１に記載の方法。
【請求項８】
前記インジケーションを送信することは、Ｍシーケンス、Ｃｈｕシーケンス、またはダウンリンクチャネル使用ビーコン信号（Ｄ−ＣＵＢＳ）のうちの少なくとも１つを送信することを備える、請求項７に記載の方法。
【請求項９】
前記少なくとも１つのＭＴＣ ＵＥと通信することは、前記ＵＥからランダムアクセスチャネル（ＲＡＣＨ）送信を受信することを備え、
前記方法は、前記少なくとも１つのＭＴＣ ＵＥに、前記ＲＡＣＨを送信するための送信時間間隔（ＴＴＩ）のインジケーションを提供することをさらに備える、
請求項１に記載の方法。
【請求項１０】
前記少なくとも１つのＭＴＣ ＵＥと通信することは、前記少なくとも１つのＭＴＣ ＵＥからチャネル状態インジケータ（ＣＳＩ）フィードバックを受信することを備える、請求項１に記載の方法。
【請求項１１】
前記狭帯域領域のうちの少なくとも１つで、少なくとも１つの発見基準信号（ＤＲＳ）を送信すること
をさらに備える、請求項１に記載の方法。
【請求項１２】
前記少なくとも１つのＭＴＣ ＵＥに、前記狭帯域領域のうちの少なくとも１つで、少なくとも１つの発見基準信号（ＤＲＳ）を受信するように前記少なくとも１つのＭＴＣ ＵＥを構成する構成を送ること
をさらに備える、請求項１１に記載の方法。
【請求項１３】
請求項１乃至１２のうちのいずれか一項に記載のステップを行うように配列された手段を備える、基地局。
【請求項１４】
請求項１乃至１２のうちのいずれか一項に記載のステップを行うように配列されたソフトウェアコードを組み込む、記憶デバイス。
【手続補正２】
【補正対象書類名】明細書
【補正対象項目名】００８９
【補正方法】変更
【補正の内容】
【００８９】
[0097]本開示の先の説明は、いかなる当業者であっても、本開示の製造または使用を可能にするように提供される。本開示への様々な修正は、当業者には容易に明らかとなり、ここで定義した一般原理は、本開示の範囲または趣旨から逸脱することなく、他の変形形態に適用され得る。したがって、本開示は、ここで説明された例および設計に限定されるようには意図されず、ここで開示された原理および新規の特徴に合致する最も広い範囲を与えられることとなる。
以下に本願の出願当初の特許請求の範囲に記載された発明を付記する。
［Ｃ１］
共有無線周波数スペクトル（ＳＲＦＳ）帯域を使用する基地局（ＢＳ）によるワイヤレス通信のための方法であって、
１つまたは複数の狭帯域領域を含む前記ＳＲＦＳの少なくとも一部分に対してチャネルクリアアセスメント（ＣＣＡ）を実行することと、
前記狭帯域領域のうちの少なくとも１つで、前記ＣＣＡを実行した後に、少なくとも１つのマシンタイプコミュニケーション（ＭＴＣ）ユーザ機器（ＵＥ）と通信することと  を備える方法。
［Ｃ２］
前記少なくとも１つまたは複数の狭帯域領域を確保するために、プリアンブルを送信することをさらに備える、Ｃ１に記載の方法。
［Ｃ３］
前記プリアンブルは、複数の前記狭帯域領域を含む広帯域領域で送信される広帯域プリアンブルを備える、Ｃ２に記載の方法。
［Ｃ４］
前記広帯域プリアンブルは、ＭＴＣ ＵＥおよび非ＭＴＣ ＵＥの両方によって検出可能である、Ｃ３に記載の方法。
［Ｃ５］
前記広帯域プリアンブルを送信した後に、少なくとも１つの狭帯域プリアンブルを送信することをさらに備える、Ｃ３に記載の方法。
［Ｃ６］
前記ＵＥが前記ＢＳと通信するために使用するための前記１つまたは複数の狭帯域領域におけるリソースの割当てを送信することをさらに備える、Ｃ２に記載の方法。
［Ｃ７］
前記ＣＣＡを実行することは、複数の前記狭帯域領域を含む広帯域領域上で前記ＣＣＡを実行することを備える、Ｃ１に記載の方法。
［Ｃ８］
前記少なくとも１つのＭＴＣ ＵＥと通信することは、前記少なくとも１つのＭＴＣ ＵＥにダウンリンク送信を送ることを備え、前記ダウンリンク送信は、複数の送信時間間隔（ＴＴＩ）にわたって、バンドリングされた送信として送られ、
前記ＣＣＡを実行することは、前記複数のＴＴＩのほんの一部分だけに対応する持続時間を有するウィンドウにわたって前記ＣＣＡを実行することを備える、
Ｃ１に記載の方法。
［Ｃ９］
前記少なくとも１つのＭＴＣ ＵＥと通信することは、前記少なくとも１つのＭＴＣ ＵＥにダウンリンク送信を送ることを備え、
前記方法は、前記ダウンリンク送信を送信する前に、前記ダウンリンク送信について、少なくとも１つの狭帯域領域において、インジケーションを送信することをさらに備える、
Ｃ１に記載の方法。
［Ｃ１０］
前記インジケーションを送信することは、Ｍシーケンス、Ｃｈｕシーケンス、またはダウンリンクチャネル使用ビーコン信号（Ｄ−ＣＵＢＳ）のうちの少なくとも１つを送信することを備える、Ｃ９に記載の方法。
［Ｃ１１］
前記少なくとも１つのＭＴＣ ＵＥと通信することは、前記ＵＥからランダムアクセスチャネル（ＲＡＣＨ）送信を受信することを備え、
前記方法は、前記少なくとも１つのＭＴＣ ＵＥに、前記ＲＡＣＨを送信するための送信時間間隔（ＴＴＩ）のインジケーションを提供することをさらに備える、
Ｃ１に記載の方法。
［Ｃ１２］
前記少なくとも１つのＭＴＣ ＵＥと通信することは、前記少なくとも１つのＭＴＣ ＵＥからチャネル状態インジケータ（ＣＳＩ）フィードバックを受信することを備える、Ｃ１に記載の方法。
［Ｃ１３］
前記狭帯域領域のうちの少なくとも１つで、少なくとも１つの発見基準信号（ＤＲＳ）を送信すること
をさらに備える、Ｃ１に記載の方法。
［Ｃ１４］
前記少なくとも１つのＭＴＣ ＵＥに、前記狭帯域領域のうちの少なくとも１つで、少なくとも１つの発見基準信号（ＤＲＳ）を受信するように前記少なくとも１つのＭＴＣ ＵＥを構成する構成を送ること
をさらに備える、Ｃ１３に記載の方法。
［Ｃ１５］
共有無線周波数スペクトル（ＳＲＦＳ）帯域を使用するマシンタイプコミュニケーション（ＭＴＣ）ユーザ機器（ＵＥ）によるワイヤレス通信のための方法であって、
基地局（ＢＳ）から、前記ＭＴＣ ＵＥが前記ＢＳと通信するために使用するための前記ＳＲＦＳ帯域の狭帯域領域におけるリソースの割当てを受信することと、
前記狭帯域領域に対してクリアチャネルアセスメント（ＣＣＡ）を実行することなく、前記狭帯域領域で前記ＢＳと通信することと
を備える方法。
［Ｃ１６］
前記ＢＳと通信することは、前記ＢＳにアップリンク送信を送信することを備える、  Ｃ１５に記載の方法。
［Ｃ１７］
前記ＢＳと通信することは、前記ＢＳからダウンリンク送信を受信することを備え、  前記方法は、前記ダウンリンク送信を受信する前に、前記ダウンリンク送信について、前記狭帯域領域において、インジケーションを受信することをさらに備える、
Ｃ１５に記載の方法。
［Ｃ１８］
前記インジケーションは、Ｍシーケンス、Ｃｈｕシーケンス、またはダウンリンクチャネル使用ビーコン信号（Ｄ−ＣＵＢＳ）のうちの少なくとも１つを備える、Ｃ１７に記載の方法。
［Ｃ１９］
前記ＢＳと通信することは、前記ＢＳにチャネル状態インジケータ（ＣＳＩ）フィードバックを送信することを備える、
Ｃ１５に記載の方法。
［Ｃ２０］
前記ＳＲＦＳ帯域の前記狭帯域領域または別の狭帯域領域のうちの少なくとも１つで、少なくとも１つの発見基準信号（ＤＲＳ）を受信すること
をさらに備える、Ｃ１５に記載の方法。
［Ｃ２１］
前記ＢＳから構成を受信すること、ここにおいて、前記構成は、前記ＳＲＦＳ帯域の前記狭帯域領域または別の狭帯域領域のうちの少なくとも１つで、少なくとも１つの発見基準信号（ＤＲＳ）を受信するように前記ＭＴＣ ＵＥを構成する、
をさらに備える、Ｃ２０に記載の方法。
［Ｃ２２］
共有無線周波数スペクトル（ＳＲＦＳ）帯域を使用するマシンタイプコミュニケーション（ＭＴＣ）ユーザ機器（ＵＥ）によるワイヤレス通信のための方法であって、
前記ＳＲＦＳ帯域の狭帯域領域に対してクリアチャネルアセスメント（ＣＣＡ）を実行することと、
前記狭帯域領域で基地局（ＢＳ）と通信することと
を備える方法。
［Ｃ２３］
前記狭帯域領域の帯域幅および前記ＳＲＦＳ帯域の帯域幅に基づいて、前記ＣＣＡのための閾値エネルギーレベルを決定すること、ここにおいて、前記ＣＣＡを実行することは、前記閾値エネルギーレベルを使用して前記ＣＣＡを実行することを備える、
をさらに備える、Ｃ２２に記載の方法。
［Ｃ２４］
前記ＭＴＣ ＵＥが前記ＢＳと通信するために使用するための前記狭帯域領域におけるリソースの割当てを受信することをさらに備える、Ｃ２２に記載の方法。
［Ｃ２５］
前記ＢＳと通信することは、前記ＢＳにアップリンク送信を送信することを備え、前記アップリンク送信は、複数の送信時間間隔（ＴＴＩ）にわたって、バンドリングされた送信として送られ、
前記ＣＣＡを実行することは、前記複数のＴＴＩのほんの一部分だけに対応する持続時間を有するウィンドウにわたって前記ＣＣＡを実行することを備える、
Ｃ２２に記載の方法。
［Ｃ２６］
前記ＢＳと通信することは、前記ＢＳからダウンリンク送信を受信することを備え、  前記方法は、前記ダウンリンク送信を受信する前に、前記ダウンリンク送信について、前記狭帯域領域において、インジケーションを受信することをさらに備える、
Ｃ２２に記載の方法。
［Ｃ２７］
前記インジケーションは、Ｍシーケンス、Ｃｈｕシーケンス、またはダウンリンクチャネル使用ビーコン信号（Ｄ−ＣＵＢＳ）のうちの少なくとも１つを備える、Ｃ２６に記載の方法。
［Ｃ２８］
前記ＢＳと通信することは、ランダムアクセスチャネル（ＲＡＣＨ）送信を送信することを備え、
前記方法は、前記ＢＳから、前記ＲＡＣＨを送信するための送信時間間隔（ＴＴＩ）のインジケーションを取得することをさらに備える、
Ｃ２２に記載の方法。
［Ｃ２９］
前記ＳＲＦＳ帯域の前記狭帯域領域または別の狭帯域領域のうちの少なくとも１つで、少なくとも１つの発見基準信号（ＤＲＳ）を受信すること
をさらに備える、Ｃ２２に記載の方法。
［Ｃ３０］
前記ＢＳから構成を受信すること、ここにおいて、前記構成は、前記ＳＲＦＳ帯域の前記狭帯域領域または別の狭帯域領域のうちの少なくとも１つで、少なくとも１つの発見基準信号（ＤＲＳ）を受信するように前記ＭＴＣ ＵＥを構成する、
をさらに備える、Ｃ２９に記載の方法。